(57)【要約】【課題】  撮影されて記録媒体に記録された画像に対してプリント指定をする場合に、撮影画像を全体から徐々に絞り込んでプリント指定が行えること。【解決手段】  撮影されてフラッシュメモリ１０８aに記録された画像に対して指定される所定のプリント指定ファイルを記録媒体に記録される場合に、システムコントローラ１１３によりプリント指定された画像のみを液晶ディスプレイ１１２に再生し、再びプリント指定を操作キー１１５により行う構成を特徴とする。【選択図】  図１
2006121485.tif 000002
【特許請求の範囲】
【請求項１】
被写体を撮像する撮像部と、前記撮像部によって撮像された画像を表示する表示部と、前記撮像部によって撮像された画像を記録する記録部と、外部に接続された印刷装置を制御するための制御部と、前記記録部に記録されている画像情報に対して印刷要否の情報を追加しこれを前記記録部に記録するプリント指定部を備えていて、前記表示部には前記記録部に記録されている印刷要否情報に応じて絞り込んだ画像のみを表示できて、さらにこの絞り込んだ画像の中から再度印刷要否の絞込みを可能とするデジタルカメラ。
【請求項２】
請求項１の絞り込んでプリント指定を行う場合に、絞り込んだ画像の表示方法を選択できることを特徴とするデジタルカメラ。
【請求項３】
請求項１の絞り込んでプリント指定を行う場合に、絞り込んだ画像表示がスライドショーで表示され、そのスライドショーで再度、プリント指定が可能なことを特徴とするデジタルカメラ。
【発明の詳細な説明】
【技術分野】
【０００１】
本発明は、ダイレクトプリントシステムに関し、デジタルカメラから印刷指定の設定を行うものに関する。
【背景技術】
【０００２】
近年、デジタルカメラにおいて、本体に対して着脱可能なフラッシュメモリカード等の記録媒体を持ち、それに静止画を記録、再生を行う機能を搭載する機種が実用化されている。この際、フラッシュメモリカードは主にパソコンとの静止画データの受け渡し手段として使われ、記録された静止画データの利用方法の一つに、パソコンに接続されているプリンタによって紙にプリントアウトするというものがある。
【０００３】
しかしながら、この様にしてプリントアウトする場合、改めてパソコンにインストールされた画像ビューアを用いてプリントアウトする画像を指定、プリント実行しなければならず、煩わしく、また、パソコンが使いこなせるユーザでないと難しいものであった。
【０００４】
このような問題点を解決するため、近年、DPOFシステムというものが提案されて実用化されている。これは、プリントアウトしたい静止画データをあらかじめデジタルカメラ等によってプリント指定しておき、その情報をフラッシュメモリカードに記憶させ、そのフラッシュメモリカードを専用のプリンタに差し替え、プリンタ側で指定された静止画を自動的にプリントアウトさせる。あるいは、デジタルカメラ等をプリンタと接続して、プリント指定された静止画をプリントアウトさせるというものである。
【０００５】
なお、前記静止画データの指定情報は、所定のテキストファイルで記述され、前記静止画データと共に前記フラッシュメモリカードに保存されている。
【０００６】
このDPOFシステムを使用し、ユーザがプリント指定した意図する順番で各画像を表示させたものがある。（例えば、特許文献１参照。）
【特許文献１】特開2003-116093号公報
【発明の開示】
【発明が解決しようとする課題】
【０００７】
しかしながら、近年デジタルカメラ上でプリント指定をする場合、記録媒体容量が多くなり、記録できる撮影画像が増えてきているため、多くの画像からユーザーが意図した画像を選択することが困難になってきている。本件の目的は、前述の問題の解消であり、多くの撮影画像の中からユーザが意図した画像に対してプリント指定を簡単に行うことである。
【課題を解決するための手段】
【０００８】
被写体を撮像する撮像部と、前記撮像部によって撮像された画像を表示する表示部と、前記撮像部によって撮像された画像を記録する記録部と、外部に接続された印刷装置を制御するための制御部と、前記記録部に記録されている画像情報に対して印刷要否の情報を追加しこれを前記記録部に記録するプリント指定部を備えていて、前記表示部には前記記録部に記録されている印刷要否情報に応じて絞り込んだ画像のみを表示できて、さらにこの絞り込んだ画像の中から再度印刷要否の絞込みを可能とするデジタルカメラ。
【０００９】
また、印刷指定された画像の絞込みは、画像のスライドショー表示中に行え、再度、絞り込んで印刷指定を行う時は、印刷指定で絞り込まれた画像をスライドショー表示中に印刷指定が行えることを特徴とするデジタルカメラ。
【００１０】
絞り込んでプリント指定を行う場合に、絞り込んだ画像の表示方法を選択できることを特徴とするデジタルカメラ。
【発明の効果】
【００１１】
本発明によれば、撮影されて記録媒体に記録された画像に対してプリント指定をする場合に、撮影画像を全体から徐々に絞り込んでプリント指定が行えることが可能になる。また、全体から絞り込む選択画面もユーザが選択できることで、ユーザの意図したプリント指定の利便性が増す。
【００１２】
本発明は特に、撮影画像が多くあるものからプリント指定を行う場合に有効である。
【発明を実施するための最良の形態】
【００１３】
以下本発明におけるその一実施例について詳細に述べる。
【００１４】
図１は、デジタルビデオカメラの一例を示すブロック図である。
【００１５】
図１において、１０１は被写体を取り込む撮影レンズ、１０２はレンズ駆動モータで、前記撮影レンズを駆動し、後述の撮像素子に被写体像を結ばせる。１０３は絞りで、後述の撮像素子への光量を制御する。１０４は撮像素子で、取り込んだ被写体を画像信号に変換する。１０５はＣＤＳ／ＡＧＣで、前記画像信号をサンプルホールドし、適正な信号レベルにする。１０６はデジタル信号処理回路で、前記ＣＤＳ／ＡＧＣ１０５からの画像信号をＡ／Ｄ変換し、デジタル信号処理を行う。１０７ａはＪＰＥＧ処理回路で、デジタル信号処理回路１０６からのデジタル画像信号からインデックス画像を切り出し、静止画としてＪＰＥＧ圧縮すると共に、後述のフラッシュメモリに記録されたＪＰＥＧ圧縮データを伸張する。１０８ａはフラッシュメモリで、ＪＰＥＧ処理回路１０７ａからのＪＰＥＧ圧縮データを記録する。
【００１６】
１０８ｂはＤＶテープで、ＤＶコーデック１０７ｂからのＤＶ圧縮データを記録する。１０９はＮＴＳＣエンコーダで、撮影時にはデジタル信号処理回路１０６から画像信号を、又再生時にはフラッシュメモリ１０８ａとＪＰＥＧ処理回路１０７ａとの間、または前記ＤＶテープ１０８ｂとＤＶコーデック１０７ｂとの間からデジタル画像信号をＮＴＳＣ画像信号にして画像出力する。１１０は信号出力端子、１１１は液晶ドライバで、ＮＴＳＣエンコーダ１０９と同様のデジタル画像信号を、本体内蔵の液晶ディスプレイ１１２に出力する。１１３はシステムコントローラで、前記操作キーから操作を受け付け、操作の実行を行い、また、記録媒体１０８の残量を計算する。１１４はカメラコントローラで、各種操作のうち、特にレンズのフォーカス、露出等に関する制御を行う。１１５は使用者の操作を受け付ける操作キー群、１１６はキャラクタ発生器で、液晶ディスプレイ１１２やビデオ出力端子１１０に重畳する文字情報を発生する。
【００１７】
図５において、５０１はビデオカメラ本体、５０２は液晶ディスプレイ、５０３は操作キー、５０４はフラッシュメモリである。
【００１８】
上記構成において、本実施形態におけるビデオカメラのプリントマーク指定方法について、説明する。ビデオカメラのモードを静止画再生モードに入れ、フラッシュメモリに記録されている静止画のうち、最後に記録された画像が液晶パネル５０２に表示される。この状態から所定の操作を行ってプリント指定モードにすると、液晶ディスプレイ１１２の表示は、図６に示すプリント指定モード選択画面に切り替わる。この画面からユーザは所望するプリント指定モードを選択する。
【００１９】
スライドショーで選択を操作キー５０４で操作し選択した場合、プリント指定されている静止画がフラッシュメモリに記憶されていなかった場合は、フラッシュメモリに記憶されている全静止画のスライドショーが実行されプリント指定が行える。フラッシュメモリにプリント指定された静止画がある場合は、プリント指定された静止画のみに対してスライドショーが実行されプリント指定が行える。スライドショー中でもプリント指定された枚数は表示される。スライドショー実行中の時に、操作キーを操作することで、スライドショーから図２のプリント指定画面に切り替わる。表示されている画像は、スライドショーで表示されていた画像である。２０１は静止画再生画像のファイル名、２０２は再生画像のファイル番号、２０３はプリント指定モードで再生される静止画の総枚数、操作キーの上下でプリント指定枚数の増減を行う。指定枚数は２０５に表示される。２０４は操作キーの左の操作を示しており、操作キーの左が押されると、前の設定画面１つ戻る。ファイル番号２０２が１である場合に、２０４の表示動作を行うと、前設定画面である図６で示すプリント指定モード選択画面に戻る。同様に２０６は、操作キーの右で次の静止画のプリント指定を行う。また、スライドショー実行の操作を行うことで、プリント指定の設定画面から再びスライドショー実行に画面に戻してもよい。プリント指定モードで表示された全ての静止画に対して設定が終わると、図７の画面に切り替わる。「印刷する」の表示は、プリンタが接続されていて、プリント指定が設定されている場合に表示され、それ以外は表示されない。「絞り込んでプリント指定」を選択すると、再びスライドショーの画面に切り替わるが、前回設定されたプリント指定の静止画像のみ表示され、プリント指定されていない静止画像は表示されない。操作キーを操作することで、先程と同じように図２の画面に切り替わるが、先程のプリント指定された静止画のみに絞り込まれているので、２０３の静止画の総枚数はプリント指定された画像の総枚数になる。前操作で、プリント指定を行わなかった場合は、全ての静止画が表示される。
【００２０】
図３はサムネイル画像で選択を選んだ場合のプリント指定を行う画面で、３０１の画面上に複数枚のサムネイル画像３０３が表示される。３０２はそれぞれの画像に対するプリント指定枚数である。
【００２１】
図４はファイル名で選択を選んだ場合のプリント指定を行う画面で、画面４０１にプリント指定が可能なファイル名が表示される。４０３は表示されるファイル名を表している。４０２はファイル名に対応するプリント指定枚数を表している。
【００２２】
図８は、本発明に係るデジタルビデオカメラにおいて、静止画再生モードでメニュー等から選択し、プリント指定モードに遷移した後のデータ処理手順を示すフローチャートの一例である。
【００２３】
まず、プリント指定モード選択画面に遷移すると、フラッシュメモリ１０８ａに所定のプリント指定ファイル（例えばＤＰＯＦファイル）があるかどうか判断（１）して、ＤＰＯＦファイルが存在しない場合は、フラッシュメモリにある静止画画像ファイルより、プリント指定モード画面で表示される画像ファイル情報を作成する（３）。その作成されるデータを表した例が図９である。９０１は静止画のファイル名、９０２はプリント指定枚数である。ＤＰＯＦファイルがないので、プリント指定枚数は全ての画像に対して０枚で初期設定される。
【００２４】
ＤＰＯＦファイルが存在する場合は、ＤＰＯＦファイルよりプリント指定がされている静止画のファイル情報を元に、プリント指定モード画面で表示される画像ファイル情報を作成する（２）。その作成されるデータを表した例が図１０である。１００１はＤＰＯＦファイル内の記述でプリント指定がされている静止画のファイル名である。１００２はプリント指定枚数であり、ＤＰＯＦファイル内に記述されてある指定枚数を表示している。
【００２５】
次に、どのプリント指定モードが選択されたかを判断する（４）（５）（６）。まず、「スライドショーでプリント指定」が選択された場合は、（２）（３）で作成された表示する画像ファイル情報より、静止画の再生画像と、プリント指定枚数を表示する。操作キー５０３を操作することで、スライドショー画面から、図２のプリント指定画面に切り替わる。操作キーで再生画像を選択し、プリント指定枚数を決定する（７）。最後に表示されている画像のプリント指定をする前にプリント指定を終了する操作を行うか、最後に表示されている画像までプリント指定の設定が終ったら、プリント指定の終了をする（１０）。プリント指定が終了すると、ＤＰＯＦファイルを作成し（１３）、プリント指定された画像に絞り込んでプリント指定を行うかどうかの判断をする（１４）。この判断は、図７のような選択画面で操作キーによって選択する。「絞り込んでプリント指定」を選択すると、再びプリント指定モードで表示される画像をＤＰＯＦファイルより作成（２）に戻る。ただし、ＤＰＯＦファイルは（１０）で作成されたものであり、プリント指定の設定画面は前回の指定画面のスライドショーである。プリント指定の設定画面を変更したい場合は、「プリント指定モードを変更して絞り込みプリントを指定」を選択し、その中で表示されるスライドショー、サムネイル画像、ファイル名などから選択し、表示する形式を選択する。その後は「絞り込んでプリント指定」と同様に（２）の処理に戻る。
【００２６】
絞り込んでプリント指定を行わない場合は、例えばプリンタが接続されている時は、印刷を行うことができる。また、パソコン等に接続されていれば、プリント指定された静止画像をパソコン等に転送してもよい。「終了」を選択した場合は、静止画再生モードに戻る。
【図面の簡単な説明】
【００２７】
【図１】本発明の実施形態を示すデジタルビデオカメラの一例を示すブロック図である。
【図２】図５に示す液晶ディスプレイに表示されるスライドショー表示におけるプリント指定の設定画面の一例を示す図ある。
【図３】図５に示す液晶ディスプレイに表示されるサムネイル画表示におけるプリント指定の設定画面の一例を示す図ある。
【図４】図５に示す液晶ディスプレイに表示されるファイル名表示におけるプリント指定の設定画面の一例を示す図ある。
【図５】図１に示したビデオカメラの外観およびその要部を説明する図である。
【図６】プリント指定の設定画面を選択するメニューの一例を示す図である。
【図７】プリント指定を終了した後のプリント指定の絞り込みを選択するメニューの一例を示す図である。
【図８】データ処理手順の一例を示すフローチャートである。
【図９】図１に示したシステムコントローラにより作成されるプリント指定がない場合のプリント指定の設定画面に表示される画像データの一例を示した図である。
【図１０】図１に示したシステムコントローラにより作成されるプリント指定の設定画面に表示される画像データの一例を示した図である。
【符号の説明】
【００２８】
１０１  撮影レンズ
１０２  レンズ駆動モータ
１０３  絞り
１０４  撮像素子
１０５  ＣＤＳ／ＡＧＣ
１０６  デジタル信号処理回路
１０７a  ＪＰＥＧ処理回路
１０７b  ＤＶコーデック
１０８a  記録媒体（フラッシュメモリ）
１０８b  記録媒体（ＤＶテープ）
１０９  ＮＴＳＣエンコーダ
１１０  ＮＴＳＣビデオ出力端子
１１１  液晶ドライバ
１１２  液晶ディスプレイ
１１３  システムコントローラ
１１４  カメラコントローラ
１１５  操作キー群
１１６  キャラクタ発生器
２０１  ファイル名
２０２  表示ファイル番号
２０３  表示される総ファイル数
２０４  一つ前の表示に戻るに対応した操作表示
２０５  プリント指定枚数
２０６  次の表示に進むに対応した操作表示
３０１  サムネイル画像のプリント指定画面
３０２  表示された画像に設定されたプリント指定枚数
３０３  プリント指定が出来る画像を表す枠
４０１  ファイル名のプリント指定画面
４０２  プリント指定枚数
４０３  ファイル名
５０１  ビデオカメラ本体
５０２  液晶パネル
５０３  操作キー
５０４  フラッシュメモリ
９０１  プリント指定画面で表示されるファイル名のデータ
９０２  プリント指定枚数
１００１  プリント指定画面で表示されるファイル名のデータ
１００２  プリント指定枚数
【図１】
2006121485.tif 000003
【図２】
2006121485.tif 000004
【図３】
2006121485.tif 000005
【図４】
2006121485.tif 000006
【図５】
2006121485.tif 000007
【図６】
2006121485.tif 000008
【図７】
2006121485.tif 000009
【図８】
2006121485.tif 000010
【図９】
2006121485.tif 000011
【図１０】
2006121485.tif 000012